(57)【要約】  【課題】  コンテンツを選択する最小限の操作キーのみを利用することで、複雑なキー操作を必要とすることなしに、現在再生中のコンテンツから大きく離れたコンテンツを容易に選択することができる小型な再生装置を提供すること。  【解決手段】  ＣＤに記憶された任意の番号の曲を選択する曲数アップキー２２、曲数ダウンキー２３と、曲数アップキー２２、曲数ダウンキー２３を押下したときの圧力を検出する圧力センサ３１、３２と、圧力センサ３１、３２からの検出情報に基づいて曲の記憶順序に応じた桁を選択する制御部３４とを設け、３段階の押下圧力の区別を行うことにより、曲数アップキー２２、曲数ダウンキー２３の押下圧力が強い程、曲を選択するときに加減算する曲数を大きくするようにした。【選択図】  図１
2005353151.tif 000002
【特許請求の範囲】
【請求項１】
番号が与えられた２桁以上の数のコンテンツが記憶された記憶媒体から前記コンテンツを選択して再生する再生装置であって、
前記記憶媒体に記憶された任意の番号のコンテンツを選択する操作キーと、前記操作キーを押下したときの圧力を検出する圧力検出手段と、前記圧力検出手段からの検出情報に基づいて前記コンテンツの記憶番号に応じた桁を選択する選択手段とを備えたことを特徴とする再生装置。
【請求項２】
前記操作キーは、前記コンテンツの記憶順序の加減算を行う増減キーを有し、前記選択手段は、少なくとも３段階以上の押下圧力の区別を行うことにより、前記押下圧力が強い程、前記コンテンツを選択するときに加減算するコンテンツ数を大きくすること特徴とする請求項１に記載の再生装置。
【請求項３】
前記選択手段は、前記記憶媒体が記憶フォルダ毎に複数のコンテンツをまとめて記憶していた場合、少なくとも３段階以上の押下圧力を区別し、前記押下圧力が最大の場合に前記記憶媒体の記憶フォルダを変更することを特徴とする請求項１に記載の再生装置。
【請求項４】
前記選択手段は、前記記憶媒体が複数ある場合、少なくとも３段階以上の押下圧力を区別し、前記押下圧力が最大の場合に前記記憶媒体を他の記憶媒体に変更することを特徴とする請求項１に記載の再生装置。
【発明の詳細な説明】
【技術分野】
【０００１】
本発明は、再生装置に関し、例えば、ＣＤ（Compact Disc）、ビデオＣＤ、ＭＤ（Mini Disc）、ＤＶＤ（Digital Versatile Disc）、メモリ等の記憶媒体に記憶された曲等のコンテンツを再生する音響装置等に適用することができる再生装置に関する。
【背景技術】
【０００２】
従来からＣＤ、ビデオＣＤ、ＭＤ、ＤＶＤ、メモリ等の記憶媒体に記憶された曲等のコンテンツを再生する再生装置としては、例えば、記憶媒体に記憶された曲を、その曲番の順に順次再生する基本的な機能の他に、ユーザから指定され他曲番の曲を再生するダイレクト選択機能を備えたものがあり、このダイレクト機能を備えた再生装置は、記憶媒体に膨大な数の曲が記憶されている場合に有効である。
【０００３】
従来のこの種の再生装置としては、特許文献１または特許文献２に示すようなものがある。特許文献１に記載されたものは、図７に示すように、０乃至９の数値を入力する第１の操作キー群１と、入力された数値を記憶するＣＤ、ＤＶＤ等の記憶手段と、記憶手段に記憶されている数値を１０倍して桁上げする第２のキー２と、再生中に押下すると、押した回数に応じて次の曲番を選択して再生する数ダウンキー３と、再生中に押下すると、押した回数に応じて前の曲番を選択して再生する数アップキー４とを含んで構成されるリモコン装置５を備えており、第１の操作キー群１と第２のキー２とを用いて数値入力と桁上げの繰り返しを行うことにより、大きな数値を入力することができるようにしている。
【０００４】
例えば、１曲目再生中に、４４７曲目を選択する場合は、操作キー群１のテンキー４を押下した後に第２のキー２を２回押下し、次いで、テンキー４を押下した後、第２のキー２を１回押下し、さらに、テンキー７を押下する、というような操作を行う。
【０００５】
また、特許文献２に記載されたものは、図８に示すように、押した回数に応じて曲番号を増加させる曲数アップキー１１と、押した回数に応じて曲番号を減少させる曲数ダウンキー１２と、押した回数に応じて曲数アップキー１１、曲数ダウンキー１２を押下した時に変化させる曲番号の単位を指定するスキップ（ＳＫＩＰ）キー１３を含んだ表示パネル１４を備えており、現在再生中の曲から大きく離れた曲を選択する場合は、スキップキー１３によりスキップ量を１０にして曲数アップキー１１、曲数ダウンキー１２を押す度に１０曲ずつ増減できるようにしている。
【０００６】
例えば、１曲目再生中に、４４７曲目を選曲しようとすると、スキップキー１３を２回押下しスキップ量１０を選択した後、曲数アップキー１１を４４回押下して４４０曲目を選択する。次いで、スキップキー１３を２回押下してスキップ量５を選択した後、曲数アップキー１１を１回押下して４４５曲目選択し、次いで、スキップキー１３を２回押下してスキップ量１選択した後、曲数アップキー１１を２回押下して４４７曲目を選択する、というような操作を行う。
【特許文献１】特開２００１−２６６４６９号公報（図３）
【特許文献２】特開２００１−１０１７６９号公報（図２）
【発明の開示】
【発明が解決しようとする課題】
【０００７】
しかしながら、特許文献１および特許文献２に示す従来の再生装置にあっては、現在再生中の曲から大きく離れた曲を選択するために、桁上げを行う第２のキー２や一度に変化させる曲数を指定するスキップキー１３を設けなければならなかった。このため、選曲を行うための操作が非常に複雑になってしまうとともに、第２のキー２やスキップキー１３を設ける分だけ操作パネル上のスペースが必要になり、携帯型あるいは車載音響装置等のような小型な再生装置のより一層の小型化を図る上で障害となってしまう。
【０００８】
本発明はこのような問題を解決するためになされたもので、コンテンツを選択する最小限の操作キーのみを利用することで、複雑なキー操作を必要とすることなしに、現在再生中のコンテンツから大きく離れたコンテンツを容易に選択することができる小型な再生装置を提供するものである。
【課題を解決するための手段】
【０００９】
本発明の再生装置は、番号が与えられた２桁以上の数のコンテンツが記憶された記憶媒体から前記コンテンツを選択して再生する再生装置であって、前記記憶媒体に記憶された任意の番号の前記コンテンツを選択する操作キーと、前記操作キーを押下したときの圧力を検出する圧力検出手段と、前記圧力検出手段からの検出情報に基づいて前記コンテンツの記憶番号に応じた桁を選択する選択手段とを備えたものから構成される。
【００１０】
この構成により、コンテンツを選択する最小限の操作キーのみを利用することにより、複雑なキー操作を必要とすることなしに、現在再生中のコンテンツから大きく離れたコンテンツを容易に選択することができる。また、従来のように桁上げ等をする専用の操作キーを追加する必要がないので、操作パネルをより一層小さくすることができ、再生装置の小型化を図ることができる。
【００１１】
また、本発明の再生装置は、前記操作キーは、前記コンテンツの記憶順序の加減算を行う増減キーを有し、前記選択手段は、少なくとも３段階以上の押下圧力の区別を行うことにより、前記押下圧力が強い程、前記コンテンツを選択するときに加減算するコンテンツ数を大きくするものから構成される。
【００１２】
この構成により、押下圧力を強くする程にコンテンツを選択するときに加減算するコンテンツ数を大きくしたので、現在再生中のコンテンツから大きく離れたコンテンツを容易に選択することができる。
【００１３】
また、本発明の再生装置は、前記選択手段は、前記記憶媒体が記憶フォルダ毎に複数のコンテンツをまとめて記憶していた場合、少なくとも３段階以上の押下圧力を区別し、前記押下圧力が最大の場合に前記記憶媒体の記憶フォルダを変更するものから構成される。
【００１４】
この構成により、押下圧力が最大の場合に記憶フォルダを変更するようにしたので、任意のフォルダを容易に選択することができ、そのフォルダ毎に記憶されたコンテンツを簡単に選択することができる。
【００１５】
また、本発明の再生装置は、前記選択手段は、前記記憶媒体が複数ある場合、少なくとも３段階以上の押下圧力を区別し、前記押下圧力が最大の場合に前記記憶媒体を他の記憶媒体に変更するものから構成される。
【００１６】
この構成により、押下圧力が最大の場合に記憶媒体を変更するようにしたので、簡単に記録媒体を変更して記録媒体毎にコンテンツを選択することができる。
【発明の効果】
【００１７】
以上説明したように、本発明は、コンテンツを選択する最小限の操作キーのみを利用することで、複雑なキー操作を必要とすることなしに、現在再生中のコンテンツから大きく離れたコンテンツを容易に選択することができる小型な再生装置を提供することができる。
【発明を実施するための最良の形態】
【００１８】
以下、本発明の実施の形態について、図面を用いて説明する。
【００１９】
図１乃至図４は本発明に係る再生装置の第１の実施の形態を示す図であり、ＣＤプレーヤ、ビデオＣＤプレーヤ、ＭＤプレーヤ、ＤＶＤプレーヤ等の再生装置に適用することができる。本実施の形態では、ＣＤを再生する音響装置を例にして説明する。
【００２０】
図１において、音響装置の操作パネル２１上には押下した回数に応じて曲番号を増加させる操作キーとしての曲数アップキー２２、押下した回数に応じて曲番号を減少させる操作キーとしての曲数ダウンキー２３、音響装置に電源を供給するための電源キー２４、ＣＤ（Compact Disc）を挿入する挿入口２５、挿入口２５からＣＤを排出するためのエジェクトキー２６、および音響装置の状態を表示するための表示部２７を含んで構成される。
【００２１】
なお、図１にあっては、表示部２７に時間と再生される曲のトラック数が表示されている。また、ＣＤには番号（トラック）が与えられた２桁以上の数のコンテンツとして洋楽や邦楽等からなる曲が記憶されている。
【００２２】
図２は音響装置の内部構成を示すブロック図であり、音響装置は、曲数アップキー２２を押下したときの圧力を検出する圧力センサ（圧力検出手段）３１、曲数ダウンキー２３を押下したときの圧力を検出する圧力センサ（圧力検出手段）３２、圧力センサ３１、３２の出力を変換して制御部３４に出力するインターフェース部３３、ＣＰＵ（Central Processing Unit）、ＲＯＭ（Read Only Memory）、ＲＡＭ（Random Access Memory）等を備え、音響装置の全体を制御する制御部３４、制御部３４の指示に従ってＣＤを再生するＣＤドライブ部３５およびＣＤの再生状態を表示する上記表示部２７を含んで構成される。
【００２３】
本実施の形態では、制御部３４が圧力センサ３１、３２からの検出情報に基づいてＣＤ内の曲の記憶番号に応じた桁を選択するようになっており、制御部３４が選択手段を構成している。
【００２４】
また、本実施の形態は曲の記憶順序の加減算を行う増キーとしての曲数アップキー２２、減キーとしての曲数ダウンキー２３を備えており、制御部３４は、曲数アップキー２２、曲数ダウンキー２３の３段階の押下圧力の区別を行うことにより、曲数アップキー２２、曲数ダウンキー２３の押下圧力が強い程、曲を選択するときに加減算するコンテンツ数を大きくするようにしている。
【００２５】
次に、図３のフローチャートに基づいて音響装置の操作方法を説明する。なお、図３のフローチャートは、制御部３４内のメモリに記憶され、ＣＰＵによって実行される操作プログラムである。
【００２６】
本実施の形態では、ＣＤの再生中に操作パネル２１上の曲数アップキー２２または曲数ダウンキー２３を押下することにより、曲の選択操作が行われると、圧力センサ３１または圧力センサ３２が曲数アップキー２２または曲数ダウンキー２３の押下圧力を検出し、そのときの圧力に応じた出力値がインターフェース部３３を通して制御部３４に入力される。
【００２７】
図３において、まず、曲数アップキー２２が押されたか否かを判別し（ステップＳ１）、曲数アップキー２２が押下された場合には、押下圧力が強いか否かを判別する（ステップＳ３）。本実施の形態では、３段階の押下圧力を区別するために、制御部３４は圧力センサ３１、３２からの入力値を２つの閾値Ｐ１、Ｐ２に基づいて判別する。
【００２８】
具体的には、図４に示すように、圧力センサ３１、３２が検知した圧力が閾値Ｐ１以上の押下圧力であれば、曲数アップキー２２、曲数ダウンキー２３の押下圧力が強いものと判断し、圧力センサ３１、３２が検知した圧力が閾値Ｐ１未満閾値Ｐ２以上の押下圧力であれば、曲数アップキー２２、曲数ダウンキー２３の押下圧力が中程度のものと判断し、圧力センサ３１、３２が検知した圧力が閾値Ｐ２未満の押下圧力であれば、曲数アップキー２２、曲数ダウンキー２３の押下圧力が弱いものと判断する。
【００２９】
したがって、ステップＳ３で閾値Ｐ１以上の押下圧力であれば、２桁上げて再生曲に１００曲加算する（ステップＳ４）。また、ステップＳ３で閾値Ｐ１未満の押下圧力であれば、押下圧力が中であるか否かを判別する（ステップＳ５）。
【００３０】
ステップＳ５で押下圧力が閾値Ｐ１未満閾値Ｐ２以上であれば、押下圧力が中程度であるものと判断して１桁上げて再生曲に１０曲加算する（ステップＳ６）。また、ステップＳ５で押下圧力が閾値Ｐ２未満であれば、ステップＳ３、Ｓ５に当てはまらないので、押下圧力が弱いものと判断し、再生曲に１曲加算する（ステップＳ７）。
一方、ステップＳ１で曲数アップキー２２が押下されなかったものと判断された場合には、曲数ダウンキー２３が押下されたか否かを判別し（ステップＳ２）、曲数ダウンキー２３が押下された場合には、押下圧力が強いか否かを判別する（ステップＳ８）。
【００３１】
このとき、閾値Ｐ１以上の押下圧力であれば、２桁上げて再生曲に１００曲減算する（ステップＳ９）。また、ステップＳ８で押下圧力が閾値Ｐ１未満であれば、押下圧力が中であるか否かを判別する（ステップＳ１０）。
【００３２】
ステップＳ１０で押下圧力が閾値Ｐ１未満閾値Ｐ２以上であれば、押下圧力が中程度であるものと判断して１桁上げて再生曲に１０曲減算する（ステップＳ１１）。また、ステップＳ１０で押下圧力が閾値Ｐ２未満であれば、ステップＳ８、Ｓ１０に当てはまらないので、押下圧力が弱いものと判断し、再生曲に１曲減算する（ステップＳ１２）。
制御部３４で曲数アップキー２２または曲数ダウンキー２３の操作によって新しい曲番号が決定されると、ＣＤドライブ部３５および表示部２７に新しい曲番号での再生指示を出力し、新しい曲番号で再生を行う。
【００３３】
例えば、１曲目再生中に、４４７曲目を選曲しようとすると、曲数アップキー２２を圧力強で４回押下、圧力中で４回押下、圧力弱で６回押下して４４７曲目選択、というように操作する。ここでは、１曲加減算する圧力弱の操作では、従来の数アップキー、数ダウンキーと同じ動作をするように桁上げ、桁下げを行うことを想定している。
【００３４】
このように本実施の形態では、ＣＤに記憶された任意の番号の曲を選択する曲数アップキー２２、曲数ダウンキー２３と、曲数アップキー２２、曲数ダウンキー２３を押下したときの圧力を検出する圧力センサ３１、３２と、圧力センサ３１、３２からの検出情報に基づいて曲の記憶番号に応じた桁を選択する制御部３４とを設けたので、曲を選択する最小限の曲数アップキー２２、曲数ダウンキー２３のみを利用することにより、複雑なキー操作を必要とすることなしに、現在再生中の曲から大きく離れた曲を容易に選択することができる。また、従来のように桁上げ等をする専用の操作キーを追加する必要がないので、操作パネル２１をより一層小さくすることができ、音響装置の小型化を図ることができる。
【００３５】
また、本実施の形態では、３段階の押下圧力の区別を行うことにより、曲数アップキー２２、曲数ダウンキー２３の押下圧力が強い程、曲を選択するときに加減算する数を大きくするようにしたので、現在再生中のコンテンツから大きく離れたコンテンツを容易に選択することができる。
【００３６】
図５、図６は本発明に係る再生装置の第２の実施の形態を示す図であり、基本的な構成は図１乃至図４に示す第１の実施の形態と同様であるため、図１乃至図４も用いて説明する。
【００３７】
本実施の形態では、図５に示すように、ＣＤ内にフォルダ１乃至フォルダ１０が記憶されており、フォルダ１乃至フォルダ１０毎に複数の曲をまとめて記憶している。図５では、フォルダ１に２４曲記憶されており、フォルダ１０に１８曲記憶されている。
【００３８】
制御部３４は、曲数アップキー２２、曲数ダウンキー２３の３段階以上の押下圧力の区別を行うことにより、押下圧力が最大の場合にＣＤのフォルダ１乃至１０を変更するようにしている。
【００３９】
次に、図６のフローチャートに基づいて音響装置の操作方法を説明する。なお、図６のフローチャートは、制御部３４内のメモリに記憶され、ＣＰＵによって実行される操作プログラムである。
【００４０】
図６において、まず、曲数アップキー２２が押されたか否かを判別し（ステップＳ２１）、曲数アップキー２２が押下された場合には、押下圧力が強いか否かを判別する（ステップＳ２３）。このとき、閾値Ｐ１以上の押下圧力であれば、フォルダを１つ加算する（ステップＳ２４）。また、ステップＳ２３で押下圧力が閾値Ｐ１未満であれば、押下圧力が中であるか否かを判別する（ステップＳ２５）。
【００４１】
ステップＳ２５で押下圧力が閾値Ｐ１未満閾値Ｐ２以上であれば、押下圧力が中程度であるものと判断してフォルダ内の曲を１桁上げて再生曲に１０曲加算する（ステップＳ２６）。また、ステップＳ１５で押下圧力が閾値Ｐ２未満であれば、ステップＳ２３、Ｓ２５に当てはまらないので、押下圧力が弱いものと判断し、再生曲に１曲加算する（ステップＳ２７）。
一方、ステップＳ２１で曲数アップキー２２が押下されなかったものと判断された場合には、曲数ダウンキー２３が押下されたか否かを判別し（ステップＳ２２）、曲数ダウンキー２３が押下された場合には、押下圧力が強いか否かを判別する（ステップＳ２８）。
【００４２】
このとき、閾値Ｐ１以上の押下圧力であれば、フォルダを１つ減算する（ステップＳ２９）。また、ステップＳ２８で押下圧力が閾値Ｐ１未満であれば、押下圧力が中であるか否かを判別する（ステップＳ３０）。
【００４３】
ステップＳ３０で押下圧力が閾値Ｐ１未満閾値Ｐ２以上であれば、押下圧力が中程度であるものと判断してフォルダ内の曲を１桁上げて再生曲に１０曲減算する。また、ステップＳ３０で押下圧力が閾値Ｐ２未満であれば、ステップＳ２８、Ｓ３０に当てはまらないので、押下圧力が弱いものと判断し、再生曲に１曲減算する（ステップＳ３２）。
制御部３４で曲数アップキー２２または曲数ダウンキー２３の操作によって新しい曲番号が決定されると、ＣＤドライブ部３５および表示部２７に新しい曲番号での再生指示を出力し、新しい曲番号で再生を行う。
【００４４】
例えば、フォルダ１内の１曲目再生中に、フォルダ１０内の１８曲目を選曲しようとすると、曲数アップキー２２を圧力強で９回押下、圧力中で１回押下、圧力弱で７回押下して曲を選択、というように操作する。
【００４５】
このように本実施の形態では、押下圧力が最大の場合に記憶フォルダを変更するようにしたので、任意のフォルダを容易に選択することができ、そのフォルダ毎に記憶された曲を簡単に選択することができる。
【００４６】
なお、複数のＣＤがある場合には、３段階の押下圧力の区別を行うことにより、押下圧力が最大の場合にＣＤを変更するようにしても良い。これによって、ＣＤ毎に選曲を行うことができる。
【００４７】
また、上記各実施の形態では、圧力センサ３１、３２およびインターフェース部３３を音響装置内に組み込んで構成しているが、これに限らず、外部のハンドルリモコン等に組み込んで音響装置とＬＡＮで接続する構成しても実施可能であり、上述した効果を得ることができる。
【００４８】
また、記録媒体としては、ＣＤに限らず、ビデオＣＤ、ＭＤ（Mini Disc）、ＤＶＤ（Digital Versatile Disc）、メモリ等の記録媒体であっても良い。さらに、上記各実施の形態では、ＣＤに記憶された曲を再生しているが、映像、あるいは写真、文字等の画像を再生する再生装置として、表示装置に適用しても良い。この場合には、曲の代わりに映像が選択されることは言うまでもない。
【００４９】
また、上記各実施の形態では、３段階の圧力検出をしているが、当然４段階以上の圧力を検出するようにしても良い。
【産業上の利用可能性】
【００５０】
以上のように、本発明に係る再生装置は、コンテンツを選択する最小限の操作キーのみを利用することで、複雑なキー操作を必要とすることなしに、現在再生中のコンテンツから大きく離れたコンテンツを容易に選択することができるとともに、操作パネルを小さくして再生装置を小型化することができるという効果を有し、ＣＤ、ビデオＣＤ、ＭＤ、ＤＶＤ、メモリ等の記憶媒体に記憶された曲等のコンテンツを再生する音響装置等に適用することがてきる再生装置等として有用である。
【図面の簡単な説明】
【００５１】
【図１】本発明の第１の実施の形態の再生装置の表示パネルを示す図
【図２】第１の実施の形態の再生装置の内部構成を示すブロック図
【図３】第１の実施の形態の再生装置の操作方法を示すフローチャート
【図４】第１の実施の形態の操作キーの押下圧力と検出強度の関係を示す図
【図５】本発明の第２の実施の形態の記憶媒体に記憶された記憶フォルダを示す図
【図６】本発明の第２の実施の形態の再生装置の操作方法を示すフローチャート
【図７】従来の音響装置のリモコンを示す図
【図８】従来の他の音響装置の操作パネルを示す図
【符号の説明】
【００５２】
２２  曲数アップキー（操作キー、増キー）
２３  曲数ダウンキー（操作キー、減キー）
３１、３２  圧力センサ（圧力検出手段）
３４  制御部（選択手段）
【図２】
2005353151.tif 000003
【図３】
2005353151.tif 000004
【図４】
2005353151.tif 000005
【図５】
2005353151.tif 000006
【図６】
2005353151.tif 000007
【図７】
2005353151.tif 000008
【図８】
2005353151.tif 000009
【図１】
2005353151.tif 000010